(57)【要約】【課題】微粉飛散を防止しながら、清掃性を向上し、製造コストを安価するカップ式自動販売機を提供することを目的とする。【解決手段】原料と湯をカップ内で攪拌する方式のものにおいて、原料収納庫９の吐出口１０とカップ４との間に、カップ上面を覆う着脱自在な粉飛散防止板１３を設けたものであり、原料を原料シュートを介さずにカップ４に確実に投入することができるとともに、清掃が簡単にでき、製造コストを抑えることができる。【選択図】図１
2010250588.tif 000002
【特許請求の範囲】
【請求項１】
原料と湯をカップ内で攪拌する方式のものにおいて、原料収納庫の吐出口とカップとの間に、カップ上面を覆う着脱自在な粉飛散防止板を設けたことを特徴とするカップ式自動販売機。
【請求項２】
原料収納庫の吐出口に装着したノズルをカップ上面の近傍まで伸ばし、原料を前記ノズルを介してカップに投入することを特徴とする請求項１に記載のカップ式自動販売機。
【請求項３】
原料をカップに投入するノズルに粉飛散防止板を設けたことを特徴とする請求項２に記載のカップ式自動販売機。
【発明の詳細な説明】
【技術分野】
【０００１】
本発明は、原料と湯をカップ内で攪拌する方式のカップ式自動販売機において、粉投入時の微粉飛散を防止する方法に関するものである。
【背景技術】
【０００２】
従来、微粉飛散を防止するカップ式自動販売機として、特許文献１に示されているものがある。
【０００３】
図４は特許文献１に記載された従来のカップ式自動販売機の微粉飛散防止装置の断面詳細図である。
【０００４】
図４において、原料シュート１下部にダクト２を設け、ダクト２とファン３をホース等によりジョイントしている。また、原料シュート１は上下可動式となっている。
【０００５】
そして、カップ４内に原料シュート１及びダクト２下端が挿入され、原料が原料シュート１よりカップ４内に投入されるとファン３が回転し、ダクト２より微粉を吸引する。これにより原料粉末の飛散を防止することができる。
【先行技術文献】
【特許文献】
【０００６】
【特許文献１】実開昭６３−１２２８８２号公報
【発明の概要】
【発明が解決しようとする課題】
【０００７】
しかしながら、上記従来の構成では、ファン３にて吸引した粉を庫外に放出しないためにフィルタが必要となるが、微粉により詰まり、清掃の頻度が多くなる課題がある。
【０００８】
また、原料シュート１やダクト２やホース等も定期的に清掃をしなければいけないという課題がある。
【０００９】
また、微粉飛散を防止しながら、製造コストを安価にした仕様が望まれている。
【００１０】
本発明は、上記従来の課題を解決するもので、清掃が簡単にでき、製造コストを抑えたカップ式自動販売機を提供することを目的とする。
【課題を解決するための手段】
【００１１】
上記従来の課題を解決するために、本発明のカップ式自動販売機は、原料収納庫の吐出口とカップとの間に、カップ上面を覆う着脱自在な粉飛散防止板を設けたものである。
【００１２】
これによって、原料を原料シュートを介さずにカップに確実に投入することができるとともに、清掃が簡単にでき、製造コストを抑えることができる。
【発明の効果】
【００１３】
本発明のカップ式自動販売機は、清掃が簡単にでき、製造コストを抑えるカップ式自動販売機を提供することができる
【図面の簡単な説明】
【００１４】
【図１】本発明の実施の形態１によるカップ式自動販売機の要部詳細図
【図２】同実施の形態のカップ式自動販売機の正面図
【図３】同実施の形態のカップ式自動販売機の側面図
【図４】従来のカップ式自動販売機の微粉飛散防止装置の断面詳細図
【発明を実施するための形態】
【００１５】
請求項１に記載の発明は、原料と湯をカップ内で攪拌する方式のものにおいて、原料収納庫の吐出口とカップとの間に、カップ上面を覆う着脱自在な粉飛散防止板を設けたものであり、原料を原料シュートを介さずにカップに確実に投入することができるとともに、清掃が簡単にでき、製造コストを抑えることができる。
【００１６】
請求項２に記載の発明は、請求項１に記載の発明において、原料収納庫の吐出口に装着したノズルをカップ上面の近傍まで伸ばし、原料を前記ノズルを介してカップに投入するものであり、原料を原料シュートを介さずにカップに投入することで、原料シュートの清掃が不要となる。
【００１７】
請求項３に記載の発明は、請求項２に記載の発明において、原料をカップに投入するノズルに粉飛散防止板を設けたものであり、原料投入時の粉末飛散を確実に行うことができる。
【００１８】
以下、本発明の実施の形態について、図面を参照しながら説明するが、従来例または先に説明した実施の形態と同一構成については同一符号を付して、その詳細な説明は省略する。なおこの実施の形態によってこの発明が限定されるものではない。
【００１９】
（実施の形態１）
図１は本発明の実施の形態１によるカップ式自動販売機の要部詳細図、図２は同実施の形態のカップ式自動販売機の正面図、図３は同実施の形態のカップ式自動販売機の側面図である。
【００２０】
図１〜３において、カップ収納庫５の最前列下部に設けたカップ搬出機構６と、攪拌機構６ａの下部に設けたカップ内の原料と湯を攪拌する上下可動なスクリュー７及び湯吐出口８と、原料収納庫９の吐出口１０に設けたノズル１１の出口は一列に配置されている。カップ４を保持するカップホルダー１２は搬送機構（図示せず）により横方向に移動可能である。原料収納庫９の吐出口１０下部にカップホルダー１２内のカップ４の上面を覆うように粉飛散防止板１３が着脱自在に設けられている。ノズル１１の出口は粉飛散防止板１３の異形穴に嵌まり込むまで伸びている。
【００２１】
また、粉飛散防止板１３の前端は上方に折曲部を、後端は下方に折曲部を有し、それぞれのノズル１１の出口に対して１枚の板でノズルに着脱自在に配置されている。
【００２２】
以上のように構成されたカップ式自動販売機について、以下その動作を説明する。
【００２３】
カップ搬出機構６より送出されたカップ４はカップホルダー１２内に落下保持され、指定の原料収納庫９のノズル１１下に移動し原料を投入された後攪拌機構６下に移動する。湯吐出口８よりカップ４内に湯が投入され、スクリュー７が降下しカップ４下部で回転し攪拌する。規定時間後、スクリューの回転が停止し上昇する。
【００２４】
以上のように、本実施の形態のカップ式自動販売機は、原料収納庫９の吐出口１０とカップ４との落差を最小限にし、カップ４上面を覆う着脱自在な粉飛散防止板１３を設けたものであり、清掃が簡単にでき、製造コストを抑えることができる。
【００２５】
また、原料収納庫９の吐出口１０に装着したノズル１１をカップ４上面の近傍まで伸ばし、原料を原料シュートを介さずにカップに投入するものであり、原料シュートの清掃が不要となる。
【００２６】
また、原料をカップに投入するノズルに粉飛散防止板を設けたので、原料投入時の粉末飛散を確実に行うことができる。
【００２７】
また、原料収納庫９に原料を補給するときに、原料がこぼれても粉飛散防止板上１３に落下するため、床等を汚すことを防止できる。
【産業上の利用可能性】
【００２８】
以上のように、本発明にかかるカップ式自動販売機は、製造コストを低減するとともに、清掃性を向上させたため、あらゆる種類のカップ式自動販売機に適用することができる。
【符号の説明】
【００２９】
４  カップ
９  原料収納庫
１０  吐出口
１１  ノズル
１３  粉飛散防止板
【図１】
2010250588.tif 000003
【図２】
2010250588.tif 000004
【図３】
2010250588.tif 000005
【図４】
2010250588.tif 000006